(57)【要約】【課題】  取付が容易で運動時に手を使わずにペダル運動器具の使用中の位置を定位置に保持し得るペダル運動器具用保持具を提供する。【解決手段】  ペダル運動器具を使用する際に使用者の体重を支える椅子に中間部が引掛けられて係合する長尺部材で形成され、この長尺部材の両端部に、ペダル運動器具に引掛けて係合するリング状又はフック状の係合部を設ける。長尺部材に、長さを調節する長さ調節部を設けたり、長さを調節する際の目印を設けたりするようにしてもよい。【選択図】図２
2015047378.tif 000002
【特許請求の範囲】
【請求項１】
ペダル運動器具を使用する際に使用者の体重を支える椅子状家具に中間部が引掛けられて係合する長尺部材で形成され、この長尺部材の両端部に、前記ペダル運動器具に引掛けて係合するリング状又はフック状の第１係合部を設けたことを特徴とするペダル運動器具用保持具。
【請求項２】
前記長尺部材の中間部は、前記椅子状家具である椅子の２本の前脚に引掛けられて係合し、前記長尺部材の両端部の第１係合部は、前記ペダル運動器具の前側の左右に延びる脚部の両端部近傍に引掛けられて係合して、前記椅子とペダル運動器具を前記長尺部材で連結するようにした請求項１に記載のペダル運動器具用保持具。
【請求項３】
ペダル運動器具に引掛けられて係合するリング状又はフック状の第１係合部が一端部に設けられた少なくとも１つの長尺部材で形成され、この長尺部材の他端部に、前記ペダル運動器具を使用する際に使用者の体重を支える椅子状家具に引掛けて係合するリング状又はフック状の第２係合部を設けたことを特徴とするペダル運動器具用保持具。
【請求項４】
前記長尺部材には、長さを調節する長さ調節部が設けられている請求項１〜３のいずれか１項に記載のペダル運動器具用保持具。
【請求項５】
前記第１係合部及び前記第２係合部は、リング状に形成され、
前記長尺部材の両端部の第１係合部又は第１係合部と第２係合部の少なくとも一方の係合部の大きさを可変に形成して前記長さ調節部を構成した請求項４に記載のペダル運動器具用保持具。
【請求項６】
前記長尺部材には、長さを調節する際の目印が設けられている請求項４又は５に記載のペダル運動器具用保持具。
【請求項７】
前記請求項１〜６のいずれか１項に記載のべダル運動器具用保持具が取り付けられていることを特徴とするペダル運動器具。
【発明の詳細な説明】
【技術分野】
【０００１】
本発明は、座席やハンドルがないペダル運動器具の使用中の位置を定位置に保持するペダル運動器具用保持具及びペダル運動器具に関するものである。
【背景技術】
【０００２】
自転車型の運動器具は、特に脚力増強を図るものとして知られているが、座席やハンドルを有する自転車乗車タイプのものが多く、大型かつ高価で家庭や職場等で手軽に使用することができないのが現状である。また、ペダルを漕ぐ運動は効率的で効果的な運動であることが立証されている。このため、座席やハンドルがない手軽に行えるペダル運動器具が開発された。ペダル運動器具は、座席やハンドルがないので、安価でかつ小型・軽量であり持ち運びや設置が容易である。ペダル運動器具を床に置いてペダルを椅子に座ったまま足で回転させることで、気軽に足腰の強化を行えるので、リハビリや転倒予防などの老化防止、日常の運動不足の解消等として有効である。
【０００３】
ペダル運動器具は、床に置いて椅子に座ったままペダルを足で回転させる際に、ペダルを漕ぐ力が前方に働く、つまり、ペダル運動器具を前方へ押す力がかかるので、当該ペダル運動器具が前方又は左右特に前方に動くことがあり、円滑な運動を行えないことがあった。このため、ペダル運動器具の位置を保持するために緊縛紐や引き具を用いることが提案されている（特許文献１、２参照。）。特許文献１の緊縛紐を用いる場合、ペダル運動器具に取り付けられている２本の緊縛紐を使用者が座る椅子の左右の前側の脚にそれぞれ緊縛させることで、ペダル運動器具の使用中の位置を保持しようとしている。また、特許文献２の引き具を用いる場合、一端部がペダル運動器具に取り付けられている紐状体の他端部側を使用者が手で把持することで、ペダル運動器具の使用中の位置を保持しようとしている。
【０００４】
しかしながら、緊縛紐を用いる場合、ペダル運動器具を使用する度毎に毎回２本の緊縛紐を椅子の２本の脚にそれぞれ緊縛させるために、緊縛紐の取付けが容易に行えなかった。また、引き具を用いる場合、ペダル運動器具で運動している間中、常に紐状体を手で把持していなければならない煩わしさがあった。
【先行技術文献】
【特許文献】
【０００５】
【特許文献１】実用新案登録第３０９２１０３号公報
【特許文献２】特開２００４−１６６７２１号公報
【発明の概要】
【発明が解決しようとする課題】
【０００６】
本発明が解決しようとする課題は、取付が容易で運動時に手を使わずにペダル運動器具の使用中の位置を定位置に保持し得るペダル運動器具用保持具及びペダル運動器具を提供することにある。
【課題を解決するための手段】
【０００７】
前記課題を解決するため本発明に係るペダル運動器具用保持具は、ペダル運動器具を使用する際に使用者の体重を支える椅子状家具に中間部が引掛けられて係合する長尺部材で形成され、この長尺部材の両端部に、前記ペダル運動器具に引掛けて係合するリング状又はフック状の第１係合部を設けたことを特徴とする。
【０００８】
また、前記課題を解決するため本発明に係るペダル運動器具用保持具は、ペダル運動器具に引掛けられて係合するリング状又はフック状の第１係合部が一端部に設けられた少なくとも１つの長尺部材で形成され、この長尺部材の他端部に、前記ペダル運動器具を使用する際に使用者の体重を支える椅子状家具に引掛けて係合するリング状又はフック状の第２係合部を設けたことを特徴とする。
【０００９】
これらにより、長尺部材の中間部を椅子状家具に引掛けて係合させ、この長尺部材の両端部の第１係合部をペダル運動器具に引掛けて係合するか、長尺部材の一端部の第１係合部をペダル運動器具に引掛けて係合し、この長尺部材の他端部の第２係合部を椅子状家具に引掛けて係合することで、椅子状家具とペダル運動器具とが長尺部材で連結されるから、そのペダル運動器具を使用する際にペダル運動器具が椅子状家具から離れていくことが防止されて、ペダル運動器具の使用中の位置を定位置に保持することが可能となる。
【００１０】
この発明では、長尺部材に、長さを調節する長さ調節部を設けてもよい。長さ調節部は、第１係合部及び第２係合部をリング状に形成した場合、係合部の大きさを可変に形成することができる。また、長尺部材には、長さを調節する際の目印を設けてもよい。
【００１１】
また、前記課題を解決するため本発明に係るペダル運動器具は、前記ダル運動器具用保持具が取り付けられていることを特徴とする。
【発明の効果】
【００１２】
本発明によれば、取付が容易で運動時に手を使わずにペダル運動器具の使用中の位置を定位置に保持することができる。
【図面の簡単な説明】
【００１３】
【図１】本発明に係る本実施形態のペダル運動器具用保持具の一例を示す斜視図である。
【図２】本実施形態のペダル運動器具用保持具を使用した状態を示す斜視図である。
【図３】本実施形態のペダル運動器具用保持具に用いられるベルト調節具の第１の例を示す斜視図である。
【図４】本実施形態のペダル運動器具用保持具に用いられるベルト調節具の第２の例を示す斜視図である。
【発明を実施するための形態】
【００１４】
以下、本発明に係るペダル運動器具用保持具の実施形態を添付図面に基づいて説明する。図１及び図２に示すように、本実施形態のペダル運動器具用保持具１は、ペダル運動器具１０を使用する際に使用者の体重を支える椅子状家具例えば椅子１８とペダル運動器具１０の間隔を保持して、ペダル運動器具１０の使用中の位置を定位置に保持するものである。
【００１５】
ペダル運動器具１０は、例えば、側面から見たとき、中央部が高い略へ字状や略コ字状に形成されたフレーム１１と、そのフレーム１１の両端部に取り付けられ、フレーム１１に対して直交する方向（左右）に延びる脚部１２と、フレーム１１の中央部に取り付けられ、回転軸を有する回転機構１３とを備えている。回転軸の両端部には、先端部にペダル１５が枢支された２つのクランク１４が取り付けられており、これらペダル１５を回転させることで足腰の強化を行えるようになっている。また、回転機構１３には、調節ネジ１６が設けられ、この調節ネジ１６によりペダル１５（回転軸）を回転させる際の負荷を調節できるようになっている。各脚部１２の両端部には、断面略三角状のゴム系樹脂製のキャップ１７が取り付けられている。
【００１６】
本実施形態のペダル運動器具用保持具１は、ペダル運動器具１０を使用する際に使用者の体重を支える椅子状家具に中間部が引掛けられて係合する長尺部材２で形成されている。本発明において椅子状家具としては、ペダル運動器具１０を使用する際に使用者の体重を支える家具であれば特に限定されず、ベッド等も含まれ、特に椅子が挙げられ、本実施形態では２本の前脚１８ａを有する椅子１８の場合について説明する。
【００１７】
長尺部材２は、例えば、布、皮、ビニール材などのベルト、紐、鎖などの柔軟部材（柔軟性に優れた部材）、若しくは、棒状部材、板状部材などの硬質部材、又はこれら柔軟部材と硬質部材を組み合わせた部材等で形成され、例えば、汎用されている布製のベルトで形成されている。具体的には、長尺部材２は、中間部を椅子１８に引掛けて係合させて使用する場合、合成繊維例えばナイロン製の幅１５〜３０ｍｍ例えば幅２０ｍｍ、長さ２００ｃｍのベルトで形成されている。なお、長尺部材２が椅子１８に係合する箇所は、椅子１８の２本の前脚１８ａの２箇所に限定されず、１箇所（例えば、１本脚の椅子の脚等）や３箇所以上、また２本の前脚１８ａ以外の２箇所でもよい。
【００１８】
長尺部材２の両端部には、ペダル運動器具１０に引掛けて係合する第１係合部３、４が設けられている。第１係合部３、４は、特にペダル運動器具１０に引掛けて係合することができればどのように形成してもよく、例えば、リング状若しくはフック状又は一方がリング状で他方がフック状等に形成されている。第１係合部３、４をリング状に形成する場合、長尺部材２とは別部材のリング体を長尺部材２の端部に取り付けて形成してもよいが、長尺部材２の端部自体をリング状にして第１係合部３、４として形成することが好ましい。本実施形態では、長尺部材２の両端部自体をリング状にして２つの第１係合部３、４を形成する場合について説明する。
【００１９】
第１係合部３、４のリングの大きさは、ペダル運動器具１０例えばキャップ１７を通し得る大きさに形成されており、第１係合部３、４を第１係合部３、４内にキャップ１７を通して脚部１２に引掛けるようにして係合し得る。これにより、長尺部材２の中間部を椅子１８の２本の前脚１８ａに引掛けて係合させ、その両端部の第１係合部３、４をペダル運動器具１０の前側の脚部１２の両側のキャップ１７近傍にそれぞれキャップ１７を介して引掛けて係合させることで、椅子１８とペダル運動器具１０とが長尺部材２で連結されて、ペダル運動器具１０の使用中の位置を定位置に保持し得るようになっている。
【００２０】
長尺部材２には、長さを調節する長さ調節部５が設けられていることが好ましい。長さ調節部５は、長尺部材２の長さを調節することができればどのように形成してもよく、第１係合部３、４とは別の箇所に設けてもよいが、第１係合部３、４の一方又は両方を長さ調節部５として形成することが好ましい。本実施形態では、第１係合部３、４の両方を長さ調節部５として形成した場合について説明する。すなわち、２つの第１係合部３、４は、いずれもベルト調節具５１を用いてリングの大きさ（径）が可変に形成されている。これにより、どちらか一方又は両方の第１係合部３、４の大きさを変えることで、長尺部材２の長さを調節し得るようになっている。なお、１つの長尺部材の両端部をリング（第１係合部３、４）に形成したが、長尺部材全体を１つのリング状に形成してもよく、この場合、長尺部材の一部に例えばベルト調節具５１を取り付けてリングの大きさを変えて、長尺部材の長さを調節し得るようにしてもよい。
【００２１】
ベルト調節具５１としては、公知のものを用いることができ、例えば、図１〜図３に示すように、一般に「コキ」といわれる仕切部を挟んで２つの挿入穴を有する略日の字状に形成されたものや略日の字状に形成されたものを含むアジャスター等を用いることができる。例えば、幅２０ｍｍ、長さ２００ｃｍのベルト（長尺部材２）の両端部の第１係合部３、４をベルト調節具５１を用いて長さ調節部５として形成した場合、長尺部材２を約１１０〜１９０ｃｍの長さに調節することが可能となる。なお、ベルト調節具５１は、第１係合部３、４のリングの大きさ（径）を可変させて長尺部材２の長さを調節し得るものであれば特に限定されず、例えば、ピンバックル、ダブルピンバックル、図４に示すような布ベルト用バックル、差し込みバックル、リング・リボンベルト用バックルなどのバックル、面ファスナ、コードロック等を用いたりしてもよい。また、第１係合部３、４をフック状に形成する場合には、長尺部材２の端部にフック部材等を取り付けて形成してもよく、この場合には、フック部材の長尺部材２の取付位置を変えて長尺部材２の長さを調節してもよい。
【００２２】
長尺部材２には、長さを調節する際の目印７が設けられていることが好ましい。目印７としては、例えば、図３及び図４に示すように、ベルト調節具５１と係合する長尺部材２の表面に数字７ａやメモリ７ｂ等を設けてもよいし、他の手段例えば長尺部材２の表面を長手方向に色分け例えば５色以上に色分けしたり色分けとメモリを設けたりしてもよい。これにより、ベルト調節具５１の位置を目印７の所望の位置に合わせたりベルト調節具５１から延びる長尺部材２の端部の長さを所望の目印７の長さにしたりすることで、長尺部材２の長さを所望の長さに簡単に調節することが可能となる。
【００２３】
次に、上記のように構成した本実施形態のペダル運動器具用保持具１を使用してペダル運動器具１０で運動を行う場合について説明する。例えば、椅子１８に座ってペダル運動器具１０を使用する際に、その椅子１８の前にペダル運動器具１０を置く。ペダル運動器具用保持具１である長尺部材２（ベルト）の一方の第１係合部４をペダル運動器具１０の前側の脚部１２の一端部のキャップ１７近傍にそのキャップ１７を通して引掛けて係合させる。係合後、長尺部材２を椅子１８の２本の前脚１８ａの後ろに通してから長尺部材２の他方の第１係合部３をペダル運動器具１０側に位置させる。すなわち、長尺部材２の中間部を椅子１８の２本の前脚１８ａに引掛けて係合させる。そして、長尺部材２の他方の第１係合部３をペダル運動器具１０の前側の脚部１２の他端部のキャップ１７近傍にそのキャップ１７を通して引掛けて係合させる。これにより、椅子１８とペダル運動器具１０とが長尺部材２によって連結された状態になる。この状態のまま、椅子１８に座って両足でペダル運動器具１０のペダルを回転させることで、ペダル運動器具１０による運動を行える。
【００２４】
このとき、ペダル運動器具１０に前方へ押す力がかかっても、椅子１８とペダル運動器具１０が長尺部材２によって連結されているので、ペダル運動器具１０が動くすなわち椅子１８から離れることが防止されて、ペダル運動器具の使用中の位置を定位置に保持することができる。その結果、安全かつ集中して運動を行えるので、気軽に足腰の強化を行え、リハビリや転倒予防などの老化防止、日常の運動不足の解消等として有効である。
【００２５】
したがって、本実施形態のペダル運動器具用保持具１は、ペダル運動器具１０を使用する際に椅子１８に中間部が引掛けられて係合する長尺部材２で形成され、この長尺部材２の両端部に、ペダル運動器具１０に引掛けて係合する第１係合部３、４を設けたので、取付が容易で運動時に手を使わずにペダル運動器具の使用中の位置を定位置に保持することができる。また、長尺部材２の椅子１８への係合は、長尺部材２の中間部を引掛けるだけであるので、容易に行え、かつ、係合箇所は、長尺部材２が引っ掛かって係合すれば椅子１８の前脚１８ａに限定されずどこでもよいので、汎用性に優れている。さらに、長尺部材２の第１係合部３、４のペダル運動器具１０への係合は、例えば第１係合部３、４を引掛けて係合し得る箇所であればどこでもよく、また、流通されているほとんどのペダル運動器具１０に第１係合部３、４を係合させることができるので、汎用性に優れている。
【００２６】
また、ペダル運動器具１０を使用する際に使用者の体重を支える椅子状家具が動きやすい家具、例えば、キャスター付椅子１８である場合、キャスター付椅子１８に座ってペダル運動器具１０を使用すると、椅子１８自体が動くことがあるが、本実施形態では、ペダル運動器具１０とキャスター付椅子１８とが長尺部材２によって連結されているので、キャスター付椅子１８が動くことが防止されて、キャスター付椅子１８等の動きやすい家具を用いてもペダル運動器具１０で安全かつ集中して運動を行える。
【００２７】
長尺部材２に長さ調節部５を設けることで、長尺部材２の長さを所望の長さに調節することができるので、例えば、使用者が変わって適切な位置にペダル運動器具１０を保持することが可能となる。すなわち、使用者の体格・性別や椅子１８等の高さ・大きさなどに応じてペダル運動器具１０の置く位置は変わる、つまり、使用者等によってペダル運動器具１０の適切な位置が異なる。このため、例えば、使用者が変わる毎に、長尺部材２の長さを調節して使用者等によって異なる適切な位置にペダル運動器具１０を保持することができる。その結果、使用者等に応じて適切な位置で運動することが可能となる。このとき、長尺部材２に長さを調節する際の目印７を設けてあると、目印７を手がかりにペダル運動器具１０が適切な位置に保持されるように長尺部材２の長さを容易に調節することができる。
【００２８】
また、上述のペダル運動器具用保持具１（以下、「第１のペダル運動器具用保持具１」という。）では、長尺部材２の両端部をペダル運動器具１０に係合させるとともに、この長尺部材２の中間部を椅子１８に係合させるものであるが、長尺部材の一端部をペダル運動器具１０に引掛けて係合するとともに、他端部を椅子１８に引掛けて係合するようにペダル運動器具用保持具（以下、「第２のペダル運動器具用保持具」という。）を形成してもよい。
【００２９】
第２のペダル運動器具用保持具では、長尺部材の一端部に、ペダル運動器具１０に引掛けて係合する第１係合部が設けられているとともに、この長尺部材の他端部に、椅子１８に引掛けて係合する第２係合部が設けられている。第１係合部と第２係合部は、上述の２つの第１係合部３、４と同様に例えば、リング状若しくはフック状又は一方がリング状で他方がフック状等に形成されている。長尺部材の数は、少なくとも１つすなわち１つでも２つ以上でもよく、例えば、椅子１８の前脚１８ａが２本ある場合には、２つであることが好ましい。すなわち、一方の長尺部材の一端部の第１係合部をペダル運動器具１０の前側の脚部１２の一端部に引掛けて係合させるとともに、この長尺部材の他端部の第２係合部を脚部１２の一端部に対向する側の椅子１８の前脚１８ａに引掛けて係合させる。他方（残り）の長尺部材の一端部の第１係合部をペダル運動器具１０の前側の脚部１２の他端部に引掛けて係合させるとともに、この長尺部材の他端部の第２係合部を脚部１２の他端部に対向する側の椅子１８の前脚１８ａに引掛けて係合させる。このように第２のペダル運動器具用保持具を構成しても、ペダル運動器具１０と椅子１８とが長尺部材によって連結されてペダル運動器具１０や椅子１８が動くことが防止されるので、上述の第１のペダル運動器具用保持具１と略同様な作用効果を奏する。なお、第２のペダル運動器具用保持具においても、第１のペダル運動器具用保持具の長尺部材と同様に長尺部材全体を１つのリング状に形成してもよい。
【００３０】
さらに、ペダル運動器具は、上述のべダル運動器具用保持具が取り付けられて構成されていてもよい。第１のペダル運動器具用保持具１を取り付ける場合、例えば、ペダル運動器具の脚部１２の両端部又はその近傍に第１のペダル運動器具用保持具１の長尺部材の両端部を取り付ける。これにより、両端部がペダル運動器具に取り付けられた長尺部材の中間部を例えば椅子１８の２本の前脚１８ａに引掛けて係合させることで、ペダル運動器具と椅子１８とが長尺部材によって連結されてペダル運動器具や椅子１８が動くことが防止される。
【００３１】
また、第２のペダル運動器具用保持具を取り付ける場合、例えば、ペダル運動器具の脚部１２の両端部又はその近傍に第２のペダル運動器具用保持具１の２つの長尺部材の一端部をそれぞれ取り付ける。これにより、２つの長尺部材の他端部の第２係合部を例えば椅子１８の２本の前脚１８ａにそれぞれ引掛けて係合させることで、ペダル運動器具と椅子１８とが長尺部材によって連結されてペダル運動器具や椅子１８が動くことが防止される。従って、このペダル運動器具は、取付が容易で運動時に手を使わずにペダル運動器具の使用中の位置を定位置に保持することができ、上述のペダル運動器具用保持具と略同様な作用効果を奏する。
【符号の説明】
【００３２】
１  ペダル運動器具用保持具
２  長尺部材
３  係合部
４  係合部
５  長さ調節部
６  ベルト調節具
７  目印
１０  ペダル運動器具
【図１】
2015047378.tif 000003
【図２】
2015047378.tif 000004
【図３】
2015047378.tif 000005
【図４】
2015047378.tif 000006